(57)【要約】      （修正有）【課題】ビス止め穴や接着剤痕などを残すことなく、必要に応じて極めて容易に取り付け、取り外しができる室内用ハンガー掛けを提供する。【解決手段】吊り下げ用主柱１の上端部１１に、背面側に向かって略水平方向に突出する係止具２が設けられ、同下端側部分１３に、支軸４を介して横外方に突出する使用時姿勢Ａと、主柱１に沿って立ち上がった非使用時姿勢とに、姿勢変更可能に軸支されたハンガー掛けアーム３と、所定間隔を隔てて背面側に向かって突出する左右二つの振れ止め突起とが設けられる。係止具２が、スライド式建具の上面と鴨居溝との隙間に差し込み可能な厚さに形成され、ハンガー掛けアーム３には、複数のハンガー係止部３１が適宜の隙間ｄを隔てて形成され、左右二つの振れ止め突起間の間隔が、室内用建具の縦枠を挟み込ませるに足る間隔に形成する。【選択図】図１
0003165275.tif 000002
【実用新案登録請求の範囲】
【請求項１】
吊り下げ用主柱(1)の上端部(11)に、背面(12)側に向かって略水平方向に突出する係止具(2)が設けられ、同下端側部分(13)に、支軸(4)を介して横外方に突出する使用時姿勢(A)と、主柱(1)に沿って立ち上がった非使用時姿勢(B)とに、姿勢変更可能に軸支されたハンガー掛けアーム(3)と、所定間隔を隔てて背面(12)側に向かって突出する左右二つの振れ止め突起(14，14)とが設けられ、前記係止具(2)が、スライド式建具の上面と鴨居溝との隙間(a)に差し込み可能な厚さに形成され、前記ハンガー掛けアーム(3)には、複数のハンガー係止部(31)が適宜の隙間(d)を隔てて形成され、前記左右二つの振れ止め突起(14，14)間の間隔(s)が、室内用スライド戸や障子・襖等の建具の縦枠を当たり面側から挟み込ませるに足る間隔に形成されている室内用ハンガー掛け。
【請求項２】
ハンガー掛けアーム(3)が、吊り下げ用主柱(1)に対して左右方向に突出するように２本設けられている請求項１に記載の室内用ハンガー掛け。
【考案の詳細な説明】
【技術分野】
【０００１】
本考案は、室内において使用する衣料用ハンガーを、所定の間隔を隔てて複数本吊り下げておくことができるようにした、簡易使用に適した室内用ハンガー掛けに関するものである。
【０００２】
より具体的には、本考案にいう室内用ハンガー掛けは、主として鴨居と敷居との間に建てつけて敷居溝、時には敷居レールに沿って左右方向にスライドさせながら開け閉めする戸や障子・襖などのスライド方式の建具を対象として使用するもので、その開放側の縦枠と鴨居の溝との間の空間に係止具を差し込んで吊り下げ状とし、複数本の衣料用ハンガーを建具の厚さ方向にそれぞれ所定の間隔を隔てて引っ掛けておくことができるようにした室内用ハンガー掛けに関するものである。
【背景技術】
【０００３】
このようなスライド式の建具の縦枠を利用して吊り下げて、建具の厚さ方向に複数本のハンガーを引っ掛けて使用するようにした室内用ハンガー掛けは、現在市販されているものにはない。現在一般に市販されている室内用ハンガー掛けは、建具や壁面の平坦な面にビスネジや接着剤を利用して固定するもので、その固定した突起部分に対して一本または複数本のハンガーを同じ場所に重ね吊りするようにしたものが大半を占めている。
【０００４】
しかしながら、室内用ハンガー吊り具として、複数本のハンガーを吊り下げるようにしたハンガー吊り下げ用ホルダーを、下記特許文献１にみられるように、刺し込み部を付け鴨居の上面に刺し込んで取り付け、下端の押し当て部を垂直壁面に当てつけて固定するようにしたものが提案されている。
【先行技術文献】
【特許文献】
【０００５】
【特許文献１】特開２０１０−０８８７４４号公報
【考案の概要】
【考案が解決しようとする課題】
【０００６】
前記のような現在市販されている建具や壁面の表面（室内側の平坦な面）に固定するようにしたハンガー吊り具は、建具の平面に対してネジ止めしたりホットメルト等の接着剤で接着させて固定するようにしたものであるため、建具や壁面に対して一旦取り付けた後は着脱の自由度に欠け、ハンガーを吊り下げない非使用時であっても室内の美観を損ね、時に邪魔になることもあり、一つの吊り具に対して複数のハンガーを重複して吊り下げた場合には、最初に吊り下げたハンガーや先行して吊り下げたハンガーを取り出す時、後から吊り下げた複数のハンガーが邪魔になり、これらを一時的に取り外した後でなければ取り出せないという課題を有している。
【０００７】
また、前記特許文献１に記載のハンガー吊り下げ用ホルダーの場合には、同時に複数のハンガーを吊り下げ使用することができる点で好ましく、付け鴨居の適宜の箇所に取り付け使用できる点で好ましいものではあるが、住居仕様によっては付け鴨居が存在しない場合もあり、通常鴨居を使用するには、下端の押し当て部を障子の桟や襖の紙面のような垂直面に当てつけて固定しなければならないので、安心して使用することができないものとなっている。
【０００８】
そこで、本考案は、従来から一般に知られた固定タイプの室内用ハンガー掛けが有している課題を解決することを目的とし、また、付け鴨居がない室内でも自由に使用でき、かつ、必要に応じて極めて容易に取り付け、取り外しができるハンガー掛けであって、ビス止め穴や接着剤痕などを全く残すことなく、障子紙や襖紙を損傷させる虞もなく、係止した複数のハンガーの中から必要なハンガーを直ちに取り外すことができるようにした室内用ハンガー掛けをここに提供しようとするものである。
【課題を解決するための手段】
【０００９】
該目的を達成するために講じた本考案にいう請求項１に記載の室内用ハンガー掛けの構成を、実施例において使用した符号を用いて説明すると、吊り下げ用主柱１の上端部１１に、背面１２側に向かって略水平方向に突出する係止具２が設けられ、同下端側部分１３に、支軸４を介して横外方に突出する使用時姿勢Ａと、主柱１に沿って立ち上がった非使用時姿勢Ｂとに、姿勢変更可能に軸支されたハンガー掛けアーム３と、所定間隔を隔てて背面１２側に向かって突出する左右二つの振れ止め突起１４，１４とが設けられ、前記係止具２が、スライド式建具の上面と鴨居溝との隙間ａに差し込み可能な厚さに形成され、前記ハンガー掛けアーム３には、複数のハンガー係止部３１が適宜の隙間ｄを隔てて形成され、前記左右二つの振れ止め突起１４，１４間の間隔ｓが、室内用スライド戸や障子・襖等の建具の縦枠を当たり面側から挟み込ませるに足る間隔に形成されている構成としたものである。
【００１０】
このような構成とした本考案にいう室内用ハンガー掛けの実施形態としては、請求項２に記載したように、ハンガー掛けアーム３が、吊り下げ用主柱１に対して左右方向に突出するように２本設けられている構成として実施することができる。
【００１１】
該室内用ハンガー掛けの実施に当たっては、合成樹脂素材の射出成形品とすることが製造上容易である点で好ましい。しかしながら、セルロース素材や木材で製造することも可能であり、アルミ等の金属で形成することも可能であるので、成形素材については特に限定されるものではない。
【考案の効果】
【００１２】
以上のように、本考案にいう室内用ハンガー掛けは、吊り下げ用主柱と、その上端部に設けた係止具と、ハンガー掛けアームと、左右二つの振れ止め突起とを備えていて、前記係止具を、スライド式建具の上面と鴨居溝との隙間に差し込み可能な構造とし、前記ハンガー掛けアームは、適宜の間隔ｄを隔てて形成された複数のハンガー係止部を備えた構造とし、さらに振れ止め突起間の間隔ｓを室内用スライド戸や障子・襖等の建具の縦枠を当たり面側から挟み込ませるに足る間隔に形成してあるので、使用に際しては、上端部の係止具を建具の上面と鴨居溝との隙間ａに差し込み、同時に振れ止め突起で建具の縦枠を挟み込ませるだけの操作で、ほぼ瞬時に取り付けが完了でき、所要衣類を吊り下げたハンガーのフック部を任意のハンガー係止部に係止させて使用すればよい。また、来客時等に取り外しておく必要性が生じた時には、上端部の係止具を引き抜いてそのまま押し入れ等に移動させれば、直ちにハンガー掛けのない通常の室内に復元させることができるという独自の効果が期待できる。
【図面の簡単な説明】
【００１３】
【図１】第１実施例の使用状態を示す正面図。
【図２】同背面図。
【図３】同右側面図。
【図４】同使用状態を示す正面図。
【図５】同使用状態を示す右側面図。
【図６】同非使用状態を示す正面図。
【図７】アームの変形例を示す正面図。
【図８】第２実施例の使用状態を示す背面図。
【図９】同非使用状態を示す正面図。
【図１０】同使用状態を示す右側面図。
【考案を実施するための形態】
【実施例】
【００１４】
以下本考案の主たる実施例である室内用ハンガー掛けの第１実施例について図面に基づいて説明する。該実施例に示した室内用ハンガー掛けは、図１乃至図３に示したように、縦長の板状でその表面１６側の幅方向中間部に長手方向に沿って突出させた補強用リブ１７を形成してある吊り下げ用主柱１の上端部１１に、背面１２側に向かって略水平方向に突出する側面視Ｌ字形とした金属係止具２をインサート成形手段によって連結してある。この係止具２は、図４及び図５に示したように、スライド戸や障子・襖等のスライド式建具５０の上面５１と鴨居６０の溝６１との間の隙間ａに差し込むことができる厚さに形成してある。
【００１５】
また、下端側部分１３には、２本のハンガー掛けアーム３，３が左右二つの支軸４，４に回転可能に軸支されていて、図１のように横外側に向かって突出する使用時姿勢Ａと、図６に示す主柱１に沿うように立ち上げた非使用時姿勢Ｂとに姿勢変更できるように取り付けてある。
【００１６】
また、図２にみられるように、吊り下げ用主柱１の下端側部分１３の背面１２側には、所定の間隔ｓを隔てて背面１２側に向かって突出する左右二つの振れ止め突起１４，１４を形成してある。この突起１４，１４間の間隔ｓは、図４に示したように、前記室内用スライド戸や障子・襖等の建具５０における縦枠５２の当たり面５３の幅ｗよりも少し広くしてあり、同縦枠５２の当たり面５３側から当てつけて同縦枠５２を挟み込ませるのに足る間隔に形成してある。図１の符号１８は、ハンガー掛けアーム３，３を図６のように、主柱１に沿うように立ち上げた非使用時姿勢Ｂとした時に、その姿勢を保持させるための摩擦用突起である。符号１５は主柱１の下端に形成した表面板である。
【００１７】
このような構造とした室内用ハンガー掛けは、使用に当たっては、図１のようにハンガー掛けアーム３，３を左右に開いた状態で、または図６のようにハンガー掛けアーム３，３を主柱１に沿わせて折り畳んだ状態で、上端部１１から背面１２側に向けて突出させた係止具２を、図４、図５のように建具５０の上面５１と鴨居６０の溝６１との間の隙間ａに差し込み、同時に下端側部分１３の背面１２側に突出形成してある振れ止め突起１４，１４で建具の縦枠を挟み込ませるようにすればよい。
【００１８】
このような単純な操作で、ほぼワンタッチかつ瞬時にハンガー掛けの取り付けを完了することができる。この時ハンガー掛けアーム３，３が、主柱１に沿った折り畳み状態の非使用時姿勢Ｂである場合には、ハンガー掛けアーム３，３を左右に開いた状態にして使用時姿勢Ａにすれば直ちに使用することができる。
【００１９】
このようにした状態で、衣類を吊り下げたハンガーのフック部を任意のハンガー係止部３１，３１に係止させればよい。もし、来客等の際に取り外しておく必要性が生じた時には、ハンガーを吊り下げたまま、上端部の係止具２を引き抜いて他に移動させれば直ちにハンガー掛けのない室内として使用することができる。
【００２０】
図７は、ハンガー掛けアーム３の単体形状を示したもので、図Ａは横長アームの幅方向の中間部に、長手方向に適宜の間隔ｄを隔てて複数の穴、該図Ａでは５個のハンガー係止用穴３１，３１を形成したものとしてある。図Ｂは上縁部を波形に形成して複数のハンガー係止用凹部３１，３１を形成したもの、図Ｃは上縁部を傾斜波形として複数のハンガー係止用傾斜凹部３１，３１を形成して、ハンガー掛けアーム３を図１のように外下がりの傾斜状態で使用した場合でも確実に受け止められるようにしたものである。
【００２１】
図８乃至図１０は、第２実施例のハンガー掛けを示したもので、該ハンガー掛けは、吊り下げ用主柱１の上端部１１に背面１２側に向かって取り付けた側面視Ｌ字形の係止具２を、主柱１に対してビスネジ２ａによって取り付けたものとし、下端側の左右二つの振れ止め突起１４，１４をそれぞれ上下のステー１４ｂ，１４ｂで突っ張り支持するように形成してあるものとし、さらに、ハンガー掛けアーム３，３を非使用状態では、図９のように、主柱１とほぼ平行に立ち上げ姿勢となるようにしたものである。本考案にいうハンガー掛けは、このような構造として実施することができるものである。
【００２２】
以上本考案の代表的と思われる実施例について説明したが、本考案は必ずしもこれらの実施例に示した構造のみに限定されるものではなく、本考案にいう前記の構成要件を備えていて、かつ、本考案にいう目的を達成し、上記の効果を有する範囲内において適宜改変して実施することができるものである。
【産業上の利用可能性】
【００２３】
本考案にいうところの室内用ハンガー掛けは、室内において普通一般の室内用ハンガー掛けと同様に使用できるものでありながら、来客時等において必要に応じて、ほぼ瞬時に取り外して、一時的に押し入れ内等に移動させ、室内をハンガー掛けのない状態として使用することができるので、市場に供給すると大いに歓迎され重宝に使用されるものと考えられる。
【符号の説明】
【００２４】
１  吊り下げ用主柱
２  係止具
３  ハンガー掛けアーム
４  支軸
１１  主柱の上端部
１２  主柱の背面
１３  主柱の下端側部分
１４  振れ止め突起
３１  ハンガー係止部
【図１】
0003165275.tif 000003
【図２】
0003165275.tif 000004
【図３】
0003165275.tif 000005
【図４】
0003165275.tif 000006
【図５】
0003165275.tif 000007
【図６】
0003165275.tif 000008
【図７】
0003165275.tif 000009
【図８】
0003165275.tif 000010
【図９】
0003165275.tif 000011
【図１０】
0003165275.tif 000012